(57)【特許請求の範囲】
【請求項１】
第１の無線通信方式が利用する無線帯域の中心周波数である第１の周波数と、前記第１の無線通信方式とは異なる第２の無線通信方式が利用する無線帯域の中心周波数である第２の周波数と、の間に共振周波数が設定され、当該アンテナ装置が内蔵される電子機器の内部形状に合わせて曲げられたアンテナエレメントと、
前記アンテナエレメントにおける所定の位置及び所定の範囲に選択的に貼り付けられ、前記第１の無線通信方式が利用する無線帯域及び前記第２の無線通信方式が利用する無線帯域における電圧定在波比を調整する誘電体損失が０．００２以上の誘電体と、
を備えることを特徴とするアンテナ装置。
【請求項２】
前記誘電体は、前記アンテナエレメントに貼り付けられることで、前記第１の無線通信方式が利用する無線帯域及び前記第２の無線通信方式が利用する無線帯域における電圧定在波比を小さくする、
ことを特徴とする請求項１に記載のアンテナ装置。
【請求項３】
前記誘電体は、前記アンテナエレメントに貼り付けられることで、前記アンテナエレメントの共振周波数における電圧定在波比を大きくする、
ことを特徴とする請求項２に記載のアンテナ装置。
【請求項４】
前記アンテナエレメントは、折り曲げ可能な絶縁体の２枚のフィルムに挟まれて形成されており、
前記誘電体は、前記アンテナエレメントに前記フィルムを介して貼り付けられる、
ことを特徴とする請求項１から３の何れか一項に記載のアンテナ装置。
【請求項５】
前記２枚のフィルムのうちの一方は、補強部を有しており、
前記誘電体は、前記２枚のフィルムのうち、前記補強部を有していない他方のフィルムに選択的に貼り付けられる、
ことを特徴とする請求項４に記載のアンテナ装置。
【請求項６】
前記アンテナエレメントおよび前記誘電体は、長方形の形状を有する前記電子機器の端部に沿うように曲げられる、
ことを特徴とする請求項１から５の何れか一項に記載のアンテナ装置。
【請求項７】
無線通信部と、前記無線通信部に接続されるアンテナ装置と、を筐体内に配置した電子機器であって、
前記アンテナ装置は、
第１の無線通信方式が利用する無線帯域の中心周波数である第１の周波数と、前記第１の無線通信方式とは異なる第２の無線通信方式が利用する無線帯域の中心周波数である第２の周波数と、の間に共振周波数が設定され、前記電子機器の内部形状に合わせて曲げられたアンテナエレメントと、
前記アンテナエレメントにおける所定の位置及び所定の範囲に選択的に貼り付けられ、前記第１の無線通信方式が利用する無線帯域及び前記第２の無線通信方式が利用する無線帯域における電圧定在波比を調整する誘電体損失が０．００２以上の誘電体と、
を備えることを特徴とする電子機器。
【発明の詳細な説明】
【技術分野】
【０００１】
本発明は、アンテナ装置及び電子機器に関する。
【背景技術】
【０００２】
従来、日本国内の８００〜９００ＭＨｚおよび１．９〜２．２ＧＨｚ帯域バンドのＷ−ＣＤＭＡ（Wideband Code Division Multiple Access）(登録商標)と、海外の８００〜９００ＭＨｚおよび１．８〜２．１ＧＨｚ帯域バンドのＧＳＭ（Global System for Mobile communications）(登録商標)と、をカバーした携帯電話用アンテナは、２つの帯域バンドに対応するために２共振アンテナを使うことが一般的であった。
【０００３】
１８００〜２１００ＭＨｚ帯域バンドは、ＧＳＭ１８００、ＧＳＭ１９００、ＷＣＤＭＡバンド１が連続して周波数を使っているため、この帯域エレメントの帯域幅を広くして１８００〜２１００ＭＨｚまでの広い帯域を連続してカバーする必要がある。このように、帯域幅が広いアンテナの要請があった。
【０００４】
上記帯域幅が広いアンテナとして、エレメントを太くして複数の電流ルートを作った構成のアンテナが知られている（特許文献１参照）。
【０００５】
また、帯域幅が広いアンテナとして、共振周波数に対応する長さのアンテナエレメントと、当該共振周波数に対応する長さより僅かに短い長さのアンテナエレメントと、を備え、複数の電流ルートを作ったアンテナが知られている（特許文献２参照）。
【０００６】
さらに、帯域幅を広くするアンテナの構成としては、逆Ｆアンテナ構造を用いて、複数の電流ルートを作る構成や、エレメント先端部分に静電容量成分が発生するような形状にした構成が知られている。
【先行技術文献】
【特許文献】
【０００７】
【特許文献１】特開２００７−２７９０６号公報
【特許文献２】特開２００７−４３５９４号公報
【発明の概要】
【発明が解決しようとする課題】
【０００８】
しかし、上記従来のアンテナでは、帯域を広くするためのエレメント構造が必要なので形状が大きくなってしまうおそれがあった。また、上記従来のアンテナでは、アンテナ構造が複雑になることに伴い、マッチングも複雑になり製品化した場合の安定性（製品間バラツキ）が不安定になるおそれがあった。
【０００９】
本発明の課題は、電子機器の内部形状に対応可能とするとともに、装置を小型化し、アンテナ特性の安定性を高めることである。
【課題を解決するための手段】
【００１０】
上記課題を解決するために、本発明のアンテナ装置は、第１の無線通信方式が利用する無線帯域の中心周波数である第１の周波数と、前記第１の無線通信方式とは異なる第２の無線通信方式が利用する無線帯域の中心周波数である第２の周波数と、の間に共振周波数が設定され、当該アンテナ装置が内蔵される電子機器の内部形状に合わせて曲げられたアンテナエレメントと、前記アンテナエレメントにおける所定の位置及び所定の範囲に選択的に貼り付けられ、前記第１の無線通信方式が利用する無線帯域及び前記第２の無線通信方式が利用する無線帯域における電圧定在波比を調整する誘電体損失が０．００２以上の誘電体と、を備えることを特徴とする。
【発明の効果】
【００１１】
本発明によれば、電子機器の内部形状に対応可能とするとともに、アンテナ装置を小型化でき、アンテナ特性の安定性を高めることができる。
【図面の簡単な説明】
【００１２】
【図１】本発明の実施の形態の電子機器の外観図である。
【図２】電子機器の機能構成を示すブロック図である。
【図３】（ａ）は、アンテナ装置の平面図である。（ｂ）は、アンテナ装置の断面図である。
【図４】マッチング回路部の回路構成を示す図である。
【図５】アンテナ装置の等価基本構造を示す図である。
【図６】上ケースへのアンテナ装置の取付けを示す図である。
【図７】誘電体が貼り付けられるアンテナ装置を示す斜視図である。
【図８】誘電体が貼り付けられていないアンテナ装置における周波数に対するＶＳＷＲを示す図である。
【図９】誘電体が貼り付けられたアンテナ装置における周波数に対するＶＳＷＲを示す図である。
【発明を実施するための形態】
【００１３】
以下、添付図面を参照して本発明に係る実施の形態を詳細に説明する。なお、本発明は、図示例に限定されるものではない。
【００１４】
先ず、図１〜図３を参照して、本実施の形態の装置構成を説明する。図１は、本実施の形態の電子機器１の外観図である。図２は、電子機器１の機能構成を示すブロック図である。
【００１５】
本実施の形態の電子機器としての電子機器１は、携帯電話通信（モバイル通信）機能を有し、店舗、倉庫等の商品を管理するためのハンディターミナルであるものとする。しかし、電子機器１としては、ハンディターミナルに限定されるものではなく、無線通信機能を有するものであれば、スマートフォン、タブレットＰＣ（Personal Computer）、ノートＰＣ、ＰＤＡ（Personal Digital Assistant）、携帯電話機等、他の電子機器でもよい。
【００１６】
電子機器１は、店舗、倉庫等の周辺に設置された携帯電話通信の基地局を介して、当該基地局に接続された通信ネットワーク上のサーバ装置等の機器と通信が可能である。
【００１７】
図１に示すように、電子機器１は、樹脂等からなる筐体としての上ケース２ａ及び下ケース２ｂを備え、上ケース２ａと下ケース２ｂとの間の内部に、後述する電源部１９、基板等を有する。基板は、ＰＣＢ（Printed Circuit Board）であり、各種回路部品が実装される。
【００１８】
電子機器１は、上ケース２ａの平面（上面）部に、表示部１４と、キー群１２ａと、を備える。表示部１４は、ＬＣＤ（Liquid Crystal Display）やＥＬ（Electro-Luminescent）ディスプレイ等で構成され、各種情報を表示する。キー群１２ａは、ユーザからの押下操作を受け付ける複数のキーであり、メニューキー、文字（数字）入力キー、カーソルキー、ＲＦＩＤの読み取り／書き込みのトリガキー等を有する。
【００１９】
また、電子機器１は、下ケース２ｂの先端部に、スキャナ部１８を有する。スキャナ部１８は、レーザ光をバーコード等のシンボルに出力し、その反射光を受信してシンボルの情報を読み取る。
【００２０】
また、電子機器１は、下ケース２ｂの両側面部に、サイドキー１２ｂを有する。サイドキー１２ｂは、スキャナ部１８のスキャンのトリガキーである。
【００２１】
次いで、図２を参照して、電子機器１の内部の機能構成を説明する。図２に示すように、電子機器１は、ＣＰＵ（Central Processing Unit）１１と、操作部１２と、ＲＡＭ（Random Access Memory）１３と、表示部１４と、ＲＯＭ（Read Only Memory）１５と、無線通信部１６と、アンテナ装置１００と、記憶部１７と、スキャナ部１８と、電源部１９と、を備える。電子機器１の各部は、バス１９Ａを介して互いに接続されている。
【００２２】
ＣＰＵ１１は、電子機器１の各部を制御する。ＣＰＵ１１は、各種プログラムのうち指定されたプログラムをＲＯＭ１５から読み出してＲＡＭ１３に展開し、展開されたプログラムとの協働で各種処理を実行する。特に、ＣＰＵ１１は、無線通信部１６により、基地局と携帯電話通信方式の無線通信を行い、当該基地局に接続された通信ネットワーク上の外部機器と通信を行う。
【００２３】
操作部１２は、キー群１２ａ、サイドキー１２ｂを備え、ユーザからのキー群１２ａ、サイドキー１２ｂへの押下入力を受け付け、その押下入力に応じた操作情報をＣＰＵ１１に出力する。また、操作部１２は、表示部１４の画面上に設けられるタッチパネルを含み、ユーザからのタッチ入力を受け付ける構成としてもよい。
【００２４】
ＲＡＭ１３は、揮発性の半導体メモリであり、各種データ及び各種プログラムを格納するワークエリアを有する。
【００２５】
表示部１４は、ＣＰＵ１１に指示された表示情報に応じて表示パネルに各種表示を行う。
【００２６】
ＲＯＭ１５は、各種データ及び各種プログラムを記憶する読み出し専用の半導体メモリである。
【００２７】
無線通信部１６は、携帯電話通信方式としてのＧＳＭ及びＷ−ＣＤＭＡの無線通信を行う無線通信部である。つまり、無線通信部１６は、ＧＳＭ、Ｗ−ＣＤＭＡの８００〜９００ＭＨｚ帯域バンド（以下、８００ＭＨｚ帯域という）と、ＧＳＭ、Ｗ−ＣＤＭＡの１．８〜２．２ＧＨｚ帯域バンド（以下、２ＧＨｚ帯域という）と、の２つの帯域バンドの無線通信を行う。２ＧＨｚ帯域には、ＧＳＭのＧＳＭ１８００，ＧＳＭ１９００の帯域と、Ｗ−ＣＤＭＡのＷＣＤＭＡバンド１の帯域と、を含む。無線通信部１６は、アンテナ装置１００に接続され、変復調回路、信号処理回路等からなる無線通信モジュールを有し、アンテナ装置１００における電波の送受信及び送受信信号の処理により、基地局と無線通信を行う。なお、アンテナ装置１００及び無線通信部１６の無線通信方式は、上記のものに限定されるものではなく、上記と異なる種類の無線通信方式や異なる使用周波数（周波数帯）の無線通信方式としてもよい。
【００２８】
記憶部１７は、情報を読み出し及び書き込み可能に記憶するフラッシュメモリ、ＥＥＰＲＯＭ（Electrically Erasable Programmable ROM）、又は電池でバックアップされたＲＡＭ等の不揮発性のメモリである。
【００２９】
スキャナ部１８は、シンボルとしてのバーコードを読み取るレーザスキャナであり、読み取ったデータをＣＰＵ１１に出力する。なお、スキャナ部１８は、シンボルとしてのバーコード及び２次元コードを読み取るイメージャの撮像部としてもよい。
【００３０】
電源部１９は、電子機器１内の各部に電源供給する二次電池又は一次電池の等の電源部である。
【００３１】
また、電子機器１は、ＮＦＣ（Near Field Communication）等の電磁界を介する通信、携帯電話通信以外の電波を介する無線通信（例えば、ＧＰＳ（Global Positioning System）、無線ＬＡＮ（Local Area Network）通信、Bluetooth（登録商標）通信等）を行う無線通信部、撮像部、印刷部等を有する構成としてもよい。
【００３２】
次いで、図３〜図６を参照して、アンテナ装置１００の装置構成を説明する。図３（ａ）は、アンテナ装置１００の平面図である。図３（ｂ）は、アンテナ装置１００の断面図である。図４は、マッチング回路部１３０の回路構成を示す図である。図５は、アンテナ装置１００の等価基本構造を示す図である。図６は、上ケース２ａへのアンテナ装置１００の取付けを示す図である。
【００３３】
図３（ａ）に示すように、アンテナ装置１００は、アンテナエレメント部１１０と、グランド部１２０と、マッチング手段としてのマッチング回路部１３０と、フィルム部１４０と、を有する。
【００３４】
アンテナエレメント部１１０は、フィルム部１４０に形成された圧延銅箔等の導体パターンにより構成され、アンテナ電流が流される素子である。アンテナエレメント部１１０は、アンテナエレメント１１１，１１２を有する。アンテナエレメント１１１は、帯状の形状を有し、直線部分ＡＲ１を有する。アンテナエレメント１１２は、帯状の形状を有し、直線部分ＡＲ２を有する。また、アンテナエレメント１１１の先端と、アンテナエレメント１１２の先端とは、図３（ａ）上のＹ軸の逆方向になるように、別々に設けられている。
【００３５】
グランド部１２０は、フィルム部１４０に形成された圧延銅箔等の導体パターンにより構成され、接地電位がとられる素子である。グランド部１２０は、帯状の形状を有するものとするが、この形状に限定されるものではない。
【００３６】
マッチング回路部１３０は、フィルム部１４０に形成された圧延銅箔等の導体パターンの経路に回路素子が接続されて構成される。マッチング回路部１３０は、アンテナエレメント部１１０側のインピーダンスと、無線通信部１６の無線通信モジュール側のインピーダンスと、のマッチング（整合）（通常は５０［Ω］）をとる回路である。
【００３７】
図４に示すように、マッチング回路部１３０は、アンテナエレメント部１１０の途中に設けられ、３つのインダクタがπ型に接続されたπ型マッチング回路とする。しかし、マッチング回路部１３０は、インダクタを用いたπ型マッチング回路に限定されるものではなく、他の回路素子を用いたπ型マッチング回路や、Ｌ型マッチング回路等、他のマッチング回路の構成としてもよい。
【００３８】
図３（ａ）に示すように、グランド部１２０とマッチング回路部１３０とには、同軸ケーブル２００の一端が接続される。同軸ケーブル２００の他端には、無線通信部１６の無線通信モジュールが接続される。同軸ケーブル２００は、一本の銅線等の内部導体２０１と、内部導体２０１を被覆する絶縁体２０２と、絶縁体２０２を覆う網状の銅線等の外部導体２０３と、外部導体２０３を被覆する絶縁体の保護被覆部２０４と、からなる。
【００３９】
同軸ケーブル２００の一端の内部導体２０１がはんだ付けによりマッチング回路部１３０の一端に接続され、同じく外部導体２０３がはんだ付けによりグランド部１２０の一端に接続される。この同軸ケーブル２００が接続されるアンテナ装置１００の場所を給電点Ｐとする。
【００４０】
図３（ｂ）に示すように、フィルム部１４０は、アンテナエレメント部１１０、グランド部１２０、マッチング回路部１３０を挟み込み支持するフィルム１４１，１４２と、補強部１４３と、からなる。フィルム１４１，１４２は、ポリイミド等の絶縁体で形成された薄く柔らかいベースフィルムである。補強部１４３は、フィルム部１４０を補強する部材であり、ガラスエポキシ等の絶縁体からなる。
【００４１】
図３（ｂ）に示すように、アンテナ装置１００の直線部分ＡＲ１における断面図は、図３（ｂ）上の−Ｚから＋Ｚへの方向に、補強部１４３、フィルム１４１、アンテナエレメント１１１、フィルム１４２、の順に積層される。補強部１４３と、フィルム１４１（又はフィルム１４２）と、アンテナエレメント１１１（又はアンテナエレメント１１１、グランド部１２０）との厚さは、例えば、それぞれ、２００〜４５０μｍ、１２．５μｍ、１８μｍとされる。
【００４２】
また、アンテナエレメント１１１に対応する直線部分ＡＲ１と、アンテナエレメント１１２に対応する直線部分ＡＲ２と、の少なくとも一方には、誘電体５０１（図３では図示略）が両面テープ等により貼り付けられる。この誘電体５０１は、Ｔａｎδ（誘電体損失、誘電正接）が０．００２以上の誘電体で構成される。誘電体５０１は、通信等の条件に合うＴａｎδの値の材料が適宜選択されて使用される。また、Ｔａｎδの０．００２の値は、これより小さい誘電体を使うと、通常、好ましい通信が行われるという実験値である。この誘電体の材料は、カーボンを含むゴムシートとするが、これに限定されるものではなく、ゴム、樹脂等、他の誘電体材料としてもよい。また、この誘電体の誘電率（比誘電率）は、例えば３〜４程度であり、具体的には例えば３．５とする。
【００４３】
Ｔａｎδは、コンデンサ内での電気エネルギー損失の度合いを表す数値である。誘電体５０１をアンテナエレメント部１１０に貼り付けると、誘電体５０１の誘電率に応じて波長短縮効果が得られる。また、Ｔａｎδが０．００２以上の誘電体５０１をアンテナエレメント部１１０に貼り付けると、共振のＶＳＷＲ（Voltage Standing Wave Ratio：電圧定在波比）や放射効率の最良値は悪化する（Ｑ値が低くなる）ものの、共振の帯域幅が広がる。
【００４４】
また、誘電体５０１を直線部分ＡＲ１，ＡＲ２に貼り付けるのは、誘電体５０１の形を直線の帯状にできるためである。この場合、誘電体５０１の調整は、端部をカットするのみで長さを調整でき、誘電体５０１の加工及び調整がしやすい。しかし、誘電体５０１を貼り付ける場所は、直線部分ＡＲ１，ＡＲ２に限定されるものではなく、アンテナエレメント１１１，１１２に対応する他の場所としてもよい。
【００４５】
誘電体５０１は、補強部１４３が無い面としてのフィルム１４２に貼り付けられるのが好ましい。しかし、アンテナ装置１００が、補強部１４３を有しない構成としてもよく、また、誘電体５０１がフィルム１４１（補強部１４３）に貼り付けられる構成としてもよい。
【００４６】
ここで、図５を参照して、アンテナ装置１００の動作原理を説明する。図５のアンテナ装置１００の等価基本構造に示すように、給電点Ｐからアンテナエレメント１１２の先端までの長さを長さＬ１とし、給電点Ｐからアンテナエレメント１１１の先端までの長さを長さＬ２とする。長さＬ１は、２ＧＨｚ帯域の１／４λ（波長）の長さとし、２ＧＨｚ帯域で共振する長さとなる。長さＬ２は、８００ＭＨｚ帯域の１／４λの長さとし、８００ＭＨｚ帯域で共振する長さとなる。アンテナエレメント１１１，１１２に誘電体５０１を貼り付けることにより、アンテナ特性を個別に調整することができる。
【００４７】
マッチング回路部１３０は、アンテナエレメント１１１，１１２の共有部分に配置されているので、そのマッチングが８００ＭＨｚ帯域及び２ＧＨｚ帯域の両方に影響する。
【００４８】
また、アンテナエレメント１１１，１１２は、長さＬ１，Ｌ２よりも長い長さＬ３を有する。長さＬ３は、２ＧＨｚ帯域、８００ＭＨｚ帯域よりも低い周波数帯域で共振する長さとなる。しかし、長さＬ１，Ｌ２を個別に可変とするため、長さＬ３の共振は無線通信に用いないこととする。
【００４９】
図３（ａ）のアンテナ装置１００は展開図であり、実際には、図６に示すように、アンテナ装置１００は、適宜曲げられて３次元の形状にされ、アンテナユニット４００に取り付けられる。アンテナユニット４００は、樹脂製等の支持体である。
【００５０】
アンテナユニット４００に取り付けられたアンテナ装置１００は、本体ユニット３が実装された上ケース２ａに取り付けられる。本体ユニット３は、無線通信部１６の無線通信モジュールを含む各種回路が実装された基板である。なお、本体ユニット３は、図６上で詳細な図示が省略されている。
【００５１】
次いで、図７〜図９を参照して、アンテナ装置１００のアンテナ特性について説明する。図７は、誘電体５０１が貼り付けられるアンテナ装置１００を示す斜視図である。図８は、誘電体５０１が貼り付けられていないアンテナ装置１００における周波数に対するＶＳＷＲを示す図である。図９は、誘電体５０１が貼り付けられたアンテナ装置１００における周波数に対するＶＳＷＲを示す図である。
【００５２】
図７に示すように、アンテナ装置１００の直線領域ＡＲ２に誘電体５０１を貼り付ける場合を考える。ここでは、無線通信部１６は、２ＧＨｚ帯域において、ＧＳＭ１８００及びＷＣＤＭＡバンド１の無線通信を行うものとする。図７に示すように、アンテナ装置１００は、電子機器１の筐体の形状（筐体内の部品等の形状）に応じて、空いている空間に実装できるように、適宜３次元の形状に曲げられて誘電体５０１が貼り付けられ、アンテナユニット４００に取り付けられる。誘電体５０１の貼り付け先であるアンテナエレメント１１２は、アンテナ装置１００の筐体の形状に応じて、適宜カーブした形状になるよう曲げられている。誘電体５０１は、アンテナエレメント１１２のカーブした領域ＡＲ２の部分に貼り付けられて、カーブした形状となっている。
【００５３】
先ず、誘電体５０１を貼り付ける前の（貼り付けられていない）アンテナ装置１００は、図８に示すような周波数に対するＶＳＷＲの特性を有する。
【００５４】
図８において、ＧＳＭ１８００の周波数帯を周波数帯ｆｇとし、ＷＣＤＭＡバンド１の周波数帯を周波数帯ｆｗとし、誘電体５０１を貼り付けられていないアンテナ装置１００の周波数に対するＶＳＷＲの特性を実線で示す。誘電体５０１を貼り付けられていないアンテナ装置１００は、長さＬ１，Ｌ２，Ｌ３のそれぞれに対応する共振周波数で共振されている。
【００５５】
長さＬ１に対応する共振の周波数帯に、周波数帯域ｆｇ，ｆｗが含まれる。また、長さＬ１に対応する共振の最良点（極小点）（この周波数帯域で最もＶＳＷＲが低い点）の周波数が、周波数帯ｆｇ，ｆｗの間に位置している。周波数帯域ｆｇ，ｆｗの間は、ＶＳＷＲが低いものの無線通信に使用されない周波数帯域となる。さらに、周波数帯ｆｇ，ｆｗでは比較的低い適切なＶＳＷＲが得られていない。
【００５６】
誘電体５０１を貼り付けたアンテナ装置１００は、図９に示すような周波数に対するＶＳＷＲの特性を有する。図９において、誘電体５０１を貼り付けられたアンテナ装置１００の周波数に対するＶＳＷＲの特性を点線で示し、比較のため誘電体５０１を貼り付けられていないアンテナ装置１００の周波数に対するＶＳＷＲの特性を実線で示す。
【００５７】
誘電体５０１を貼り付けられたアンテナ装置１００の長さＬ１に対応する共振のＶＳＷＲの特性は、矢印Ｓ１で示すように、誘電体５０１のＴａｎδにより、誘電体５０１を貼り付けられていないアンテナ装置１００のＶＳＷＲ特性よりも帯域幅が広げられている。
【００５８】
但し、誘電体５０１を貼り付けられたアンテナ装置１００の長さＬ１に対応する共振の最良点Ｎ２のＶＳＷＲは、矢印Ｓ２で示すように、誘電体５０１を貼り付けられていないアンテナ装置１００の最良点Ｎ１のＶＳＷＲよりも高く、悪化しており、Ｑ値も低くなる。
【００５９】
しかし、誘電体５０１を貼り付けられたアンテナ装置１００の長さＬ１に対応する共振の最良点Ｎ２は、矢印Ｓ３で示すように、誘電体５０１の波長短縮効果により、最良点Ｎ１よりも周波数が低い方にシフトされる。誘電体５０１を貼り付けられたアンテナ装置１００の長さＬ１に対応する共振の最良点の周波数は、無線通信の使用周波数の帯域（周波数帯域ｆｇ，ｆｗ）以外であることが好ましい。誘電体５０１を貼り付けられたアンテナ装置１００の使用周波数としての周波数帯域ｆｇ，ｆｗのＶＳＷＲは、誘電体５０１を貼り付けられていないアンテナ装置１００の周波数帯域ｆｇ，ｆｗのＶＳＷＲよりも低く、好転している。
【００６０】
矢印Ｓ１の帯域幅及び矢印Ｓ２の最良点のＶＳＷＲは、誘電体５０１の材料の変更等によるＴａｎδの値の変更や、誘電体５０１の形状の大きさ、貼り付ける場所の変更により調整できる。例えば、誘電体５０１のＴａｎδを高くするほど、矢印Ｓ１の帯域幅もより大きくなり、矢印Ｓ２のＶＳＷＲもより高くなる（Ｑ値がより低くなる）。また、矢印Ｓ３の最良点の周波数は、誘電体５０１の材料の変更等による誘電率の値を変更することで調整できる。
【００６１】
以上、本実施の形態によれば、アンテナ装置１００は、アンテナエレメント部１１０と、アンテナエレメント部１１０に貼り付けられ、誘電体損失が０．００２以上の誘電体５０１と、を備える。
【００６２】
このため、誘電体５０１の誘電体損失によりアンテナ装置１００の共振の帯域幅を広げることができる。加えて、アンテナエレメント部１１０に帯域幅を広げるためのアンテナ構造が不要で簡単な構造にできるので、アンテナ装置１００を小型化できる。さらに、帯域幅とＱ値を決定する構造がアンテナエレメント構造に依存しないため、アンテナ装置１００の構造自体を単純にすることができ、マッチングやアンテナ特性の調整を容易にすることができ、そのために製品化した場合の製品間バラツキを低減しアンテナ特性の安定性を高めることができる。さらに、アンテナ装置１００を実際に筐体に組み込んだ後でも、誘電体５０１の調整により共振の帯域幅を広げる調整が容易にできる。
【００６３】
また、アンテナエレメント部１１０は、アンテナエレメント１１１，１１２からなり、誘電体５０１は、アンテナエレメント１１１，１１２の少なくとも一つに貼り付けられる。このため、誘電体５０１を貼り付けるアンテナエレメントを選択して個別に共振の帯域幅を広げることができる。
【００６４】
また、アンテナエレメント１１１，１１２は、互いに共振周波数が異なる（８００ＭＨｚ帯域、２ＧＨｚ帯域）。このため、誘電体５０１を貼り付けるアンテナエレメントの選択により共振周波数を選択して個別に共振の帯域幅を広げることができる。
【００６５】
また、アンテナ装置１００は、アンテナエレメント部１１０に配置され、インピーダンスマッチングを行うマッチング回路部１３０を備える。このため、無線通信部１６がマッチング回路を設けなくてもよく、構造を簡単にできるとともに、アンテナエレメント１１１，１１２の両方のインピーダンスマッチングを容易に行うことができる。加えて、誘電体５０１を用いて帯域幅を広げるので、帯域幅を広げるためにマッチング回路部１３０でＱ値の調整を行わなくてもよく、マッチング回路部１３０を簡単な構造にでき、マッチング回路部１３０を変更しなくてもアンテナ装置１００を実装する筐体に自由に合わせることが可能となり、筐体が異なる電子機器の製品への実装も可能になりアンテナ装置１００の汎用性を高くできる。
【００６６】
また、アンテナ装置１００は、接地される導体のグランド部１２０と、絶縁体のフィルム１４１，１４２を備え、アンテナエレメント部１１０及びグランド部１２０がフィルム１４１上（フィルム１４１，１４２の間）に形成されている。このため、アンテナ装置１００をフィルムアンテナ装置として構成できる。
【００６７】
また、アンテナエレメント部１１０は、誘電体５０１が貼り付けられる場所が直線形状の直線部分ＡＲ１，ＡＲ２である。このため、帯域幅を広げる調整のための誘電体５０１の加工を、長手方向の端部をカットすることにより容易に行うことができる。
【００６８】
また、電子機器１は、アンテナ装置１００と、アンテナ装置１００を用いて無線通信を行う無線通信部１６と、を備える。このため、アンテナ装置１００により共振の帯域幅を広げた無線通信が可能な電子機器１を実現できる。
【００６９】
なお、上記実施の形態における記述は、本発明に係るアンテナ装置及びプログラムの一例であり、これに限定されるものではない。
【００７０】
例えば、上記実施の形態では、アンテナ装置１００が、互いに共振周波数が異なるアンテナエレメント１１１，１１２を有する２共振のアンテナ装置である構成としたが、これに限定されるものではない。１つ又は３つ以上のアンテナエレメントを有する１共振又は３以上の共振のアンテナ装置としてもよい。また、複数のアンテナエレメントを有するアンテナ装置は、例えばダイバーシティのように、共振周波数が同じアンテナエレメントを複数含む構成としてもよい。
【００７１】
また、上記実施の形態では、アンテナ装置１００が、フィルムアンテナ装置である構成としたが、これに限定されるものではない。例えば、棒状のアンテナエレメントを有し、当該アンテナエレメントに誘電体損失が０．００２以上の誘電体を貼り付ける構成としてもよい。
【００７２】
また、上記実施の形態における電子機器１の各構成要素の細部構成及び細部動作に関しては、本発明の趣旨を逸脱することのない範囲で適宜変更可能であることは勿論である。
【００７３】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
導体のアンテナエレメント部と、
前記アンテナエレメント部に貼り付けられ、誘電体損失が０．００２以上の誘電体と、を備えるアンテナ装置。
＜請求項２＞
前記アンテナエレメント部は、複数のアンテナエレメントからなり、
前記誘電体は、前記複数のアンテナエレメントの少なくとも一つに貼り付けられる請求項１に記載のアンテナ装置。
＜請求項３＞
前記複数のアンテナエレメントは、互いに共振周波数が異なる請求項２に記載のアンテナ装置。
＜請求項４＞
前記アンテナエレメント部上にインピーダンスマッチングを行うマッチング手段を備える請求項１から３のいずれか一項に記載のアンテナ装置。
＜請求項５＞
接地される導体のグランド部と、
絶縁体のフィルムと、を備え、
前記アンテナエレメント部及び前記グランド部は、前記フィルム上に形成されている請求項１から４のいずれか一項に記載のアンテナ装置。
＜請求項６＞
前記アンテナエレメント部は、前記誘電体が貼り付けられる場所が直線形状である請求項１から５のいずれか一項に記載のアンテナ装置。
＜請求項７＞
請求項１から６のいずれか一項に記載のアンテナ装置と、
前記アンテナ装置を用いて無線通信を行う無線通信部と、を備える電子機器。
＜請求項８＞
無線通信部と、前記無線通信部に接続されるアンテナ装置とを筐体内に配置した電子機器であって、
前記アンテナ装置は、第１周波数に対応する長さを有する第１アンテナエレメントと前記第１周波数と異なる第２周波数に対応する長さを有する第２アンテナエレメントとを有するフィルム状に形成された導体のアンテナエレメント部と、接地されるフィルム状に形成された導体のグランド部と、を備え、
前記第１アンテナエレメント及び前記第２アンテナエレメントは、前記電子機器の前記筐体の形状に合わせて曲げられ、前記第１アンテナエレメント及び前記第２アンテナエレメントの少なくとも一つには、誘電体損失が０．００２以上の誘電体が貼り付けられている電子機器。
【符号の説明】
【００７４】
１  電子機器
２ａ  上ケース
２ｂ  下ケース
１１  ＣＰＵ
１２  操作部
１２ａ  キー群
１２ｂ  サイドキー
１３  ＲＡＭ
１４  表示部
１５  ＲＯＭ
１６  無線通信部
１７  記憶部
１８  スキャナ部
１９  電源部
１９Ａ  バス
１００  アンテナ装置
１１０  アンテナエレメント部
１１１，１１２  アンテナエレメント
１３０  マッチング回路部
１４０  フィルム部
１４１，１４２  フィルム
１４３  補強部
２００  同軸ケーブル
２０１  内部導体
２０２  絶縁体
２０３  外部導体
２０４  保護被覆部
４００  アンテナユニット
５０１  誘電体
【図１】
0006525249.tif 000002
【図２】
0006525249.tif 000003
【図３】
0006525249.tif 000004
【図４】
0006525249.tif 000005
【図５】
0006525249.tif 000006
【図６】
0006525249.tif 000007
【図７】
0006525249.tif 000008
【図８】
0006525249.tif 000009
【図９】
0006525249.tif 000010